(57)【要約】【課題】ペットに過度のテンションがかかるのを回避するとともに、ペットの予想外の動作によって抜けてしまうのを防止する。【解決手段】ペットに着用させるペット用ハーネスであってペットの脊髄に沿って一定の面積を有し、ペットの背中に当接されるベスト部１１と、ベスト部１１の表面、且つ脊髄上に位置されるリード係合部１２と、リード係合部１２を起点として、ペットの頸部に巻き回される環状の頸部ベルト１３と、ペットの腹部に巻き回される環状の腹部ベルト１４とを備え、頸部ベルト１３及び腹部ベルト１４は、起点付近において、脊髄に対して一定の角度を保持するように、所定の長さにわたってベスト部１１に縫着されている。【選択図】  図２
2010029114.tif 000002
【特許請求の範囲】
【請求項１】
四足動物に着用させるペット用ハーネスであって
前記四足動物の脊髄に沿って一定の面積を有し、該四足動物の背中に当接される布部材と、
前記布部材の表面、且つ前記四足動物の脊髄上に位置されるリード係合部と、
前記リード係合部を起点として、前記四足動物の頸部に巻き回される環状の頸部ベルトと、
前記リード係合部を起点として、前記四足動物の腹部に巻き回される環状の腹部ベルトと
を備え、
前記頸部ベルト及び前記腹部ベルトは、前記起点付近において、前記脊髄に対して一定の角度を保持するように、所定の長さにわたって前記布部材に縫着されている
ことを特徴とするペット用ハーネス。
【請求項２】
前記布部材は、前記四足動物の脊髄に沿った分割線において、左右に分割され、
前記分割線には、左右に分割された布部材を連結する連結部が設けられ、
前記連結部は、前記脊髄に沿って一定の長さを有する
ことを特徴とする請求項１に記載のペット用ハーネス。
【請求項３】
前記頸部ベルト及び前記腹部ベルトのうち少なくとも一方のベルトは、前記縫着された範囲外に位置された着脱部において切り離し可能となっており、
前記着脱部は、前記布部材の面積内、且つ該布部材の表面側に位置される
ことを特徴とする請求項１に記載のペット用ハーネス。
【発明の詳細な説明】
【技術分野】
【０００１】
本発明は、犬や猫、フィレットなどの四足動物のペットに着用させるペット用ハーネスに関する。
【背景技術】
【０００２】
従来より、犬や猫、フィレットなどのペットに着用させるペット用ハーネスや胴輪については、種々のタイプが開発されており、例えば特許文献１に開示するようなものがある。この特許文献１に開示されたペット用胴輪は、前後の胴部帯状体の前後の振り分け角度が自然に変更され、或いは、ペットの動きに合わせて前後の胴部帯状体もより自由に可動するようになっており、使用中、胴輪が周方向に移動してずれてしまうのを防止することができる。
【特許文献１】特願平１０−２５７８３３号公報
【発明の開示】
【発明が解決しようとする課題】
【０００３】
しかしながら、上述した特許文献１に開示されたペット用胴輪では、胴輪を構成する帯状体（ベルト）が自由に動くことができるため、足の付け根や肋骨の下などペットの身体の凹みに食い込んでしまい、そこに過度のテンションがかかることとなる。また、このようなテンションの集中を回避しようとして、ベルトを緩めた場合には、ペットが激しく動いたり、後退りするなど予想外の動作をとったときには、胴輪が抜けたり、外れたりしてしまう惧れがある。
【０００４】
そこで、本発明は、上記のような問題を解決するものであり、ペットに過度のテンションがかかるのを回避するとともに、ペットの予想外の動作によって抜けてしまわないようなペット用ハーネスを提供することを目的とする。
【課題を解決するための手段】
【０００５】
上記課題を解決するために、本発明は、四足動物に着用させるペット用ハーネスであって四足動物の脊髄に沿って一定の面積を有し、四足動物の背中に当接される布部材と、布部材の表面、且つ四足動物の脊髄上に位置されるリード係合部と、リード係合部を起点として、四足動物の頸部に巻き回される環状の頸部ベルトと、リード係合部を起点として、四足動物の腹部に巻き回される環状の腹部ベルトとを備え、頸部ベルト及び腹部ベルトは、起点付近において、脊髄に対して一定の角度を保持するように、所定の長さにわたって布部材に縫着されている。
【０００６】
このような本発明によれば、ペットの背中に当接される布部材により、ハーネス全体をペットに密着させることができ、また、布部材は所定の面積を有することから、リードなどを介してペットに伝達されるテンションをペットの背中全体に分散させることができる。また、この布部材には、頸部ベルト及び腹部ベルトが、布部材に対して一定の角度を保持するできるように、所定の長さにわたって布部材の表面に縫着されていることから、ペットの身体に対するベルトの角度が変化されるのを防止することができ、ベルトが移動してペットの身体に食い込むのを回避することができる。さらに布部材は、ベストのようにペットに着用され、ペットの脊髄に沿って所定の面積が確保されていることから、ペットが後退りするなど、突発的な予想外の動作を採ってもハーネスが外れることがない。
【０００７】
上記発明において、布部材は、四足動物の脊髄に沿った分割線において、左右に分割され、分割線には、左右に分割された布部材を連結する連結部が設けられ、連結部は、脊髄に沿って一定の長さを有することが好ましい。この場合には、布部材を左右に分割することにより簡単にペットに装着させることができ、また、ペットの脊髄に沿った位置で一定の長さにわたって布部材が連結されるため、装着時にあっては、テンションをペットの全長方向に分散させることができる。
【０００８】
上記発明において、頸部ベルト及び腹部ベルトのうち少なくとも一方のベルトは、縫着された範囲外に位置された着脱部において切り離し可能となっており、着脱部は、布部材の面積内、且つ布部材の表面側に位置されることが好ましい。この場合には、ベルトの一部を切離して開放することができ、ペットへの装着がより簡便に行うことができるとともに、着脱部が布部材の面積内に配置されることにより、着脱部がペットの身体に直接触れることがなく、着脱部がペットの身体に食い込んだりして不快を与えるのを防止できる。
【発明の効果】
【０００９】
以上述べたように、この発明によれば、犬や猫、フィレットなどの四足動物のペットに用いるペット用ハーネスにおいて、ペットに過度のテンションがかかるのを回避してペットにストレスを与えないようにできるとともに、ペットが予想外の動作をとった場合であっても、ハーネスが抜けてしまうのを防止することができる。
【発明を実施するための最良の形態】
【００１０】
（ペット用ハーネスの概要）
以下に添付図面を参照して、本発明に係るペット用ハーネスの実施形態を詳細に説明する。図１〜３は、本実施形態に係るペット用ハーネスの全体構成を上方から示す概念図である。
【００１１】
同図に示すように、ペット用ハーネス１は、犬や猫、フィレットなど四足動物のペット２に着用させるベストハーネスである。具体的には、ペットの背中に当接される布部材であるベスト部１１と、ペット２の背中中央に位置されるリード係合部１２と、ペットの頸部に巻き回される環状の頸部ベルト１３と、ペットに巻き回される環状の腹部ベルト１４とを備えている。なお、図１において点線は、四速動物の肢体を示しており、胴体部分２ａに、前足２ｂ、後足２ｃ及び胸部分２ｄを模式的に示している。
【００１２】
本実施形態では、図２に示すように、頸部ベルト１３及び腹部ベルト１４は、起点Ｓ付近において、脊髄（図中一点鎖線で示す。）に対して一定の角度θ１及びθ２を保持するように、縫着部１１１ａ、ｂ及び１１２ａ、ｂにおいて、所定の長さにわたって布部材に縫着されている。
【００１３】
さらに、本実施形態では、図３に示すように、ベスト部１１は、ペットの脊髄に沿った分割線Ｌにおいて左右に分割されて、パーツ１１ａ及び１１ｂとなる。この分割線Ｌには、左右に分割されたパーツ１１ａ及び１１ｂを連結する連結部１１３が設けられ、連結部１１３は、脊髄に沿って一定の長さを有している。かかる連結部１１３は、分割線に沿って配置された面ファスナーやファスナーを用いることができ、パーツ１１ａの表面側とパーツ１１ｂの裏面側とを重ね合わせて連結させる。
【００１４】
また、本実施形態では、かかる連結部１１３の長さＤ１と、縫着部１１１ａと１１２ａとの間、又は縫着部１１１ｂと１１２ｂとの間の距離Ｄ２とはほぼ等しくなるように設計されており、リード係合部１２は、Ｄ１のほぼ中央に位置するようになっている。
【００１５】
さらに、同図に示すように、頸部ベルト１３及び腹部ベルト１４は、縫着された範囲（縫着部１１１ａ、１１１ｂ、１１２ａ及び１１２ｂ）外に位置された着脱部１３１ａ、１３１ｂ、１４１ａ及び１４１ｂにおいて切り離し可能となっており、これら着脱部１３１ａ、１３１ｂ、１４１ａ及び１４１ｂは、ベスト部１１の面積内、且つベスト部１１の表面側に位置されている。なお、頸部ベルト１３及び腹部ベルト１４にはその長さを調節するアジャスタ１３２及び１４２が設けられている。
【００１６】
（ベストハーネスの具体的構成）
以上説明した概要のペット用ハーネスの具体的構成について、詳細に説明する。図４は、本実施形態に係るペット用ハーネスの上面図であり、図５は、その左右の側面図であり、図６は、ベスト部１１を左右に分割して展開した状態を示す。
【００１７】
図４〜６に示すように、ペット用ハーネス１は、ペットの背中に当接される布部材であるベスト部１１と、ペット２の背中中央に位置されるリード係合部１２と、ペットの頸部に巻き回される環状の頸部ベルト１３と、ペットに巻き回される環状の腹部ベルト１４とを備えている。
【００１８】
ベスト部１１は、例えば合成繊維や合成皮革、本革などで形成することができ、その形状は、所定の面積を確保してあれば、図示した矩形状のみならず、ペットの肢体に合わせて種々の曲線によってデザインすることができる。
【００１９】
頸部ベルト１３及び腹部ベルト１４は、ビニール等の合成樹脂や合成繊維、合成皮革や本革などで形成した帯状の部材であり、本実施形態では、リード係合部１２を起点として、ペットの脊髄に対して一定の角度θ１及びθ２を保持するように、四方に向けて放射状にベスト部１１表面に縫着部１１１ａ、ｂ及び１１２ａ、ｂで所定の長さにわたって縫い付けられている。さらに、本実施形態では、頸部ベルト１３及び腹部ベルト１４は、起点Ｓ（連結部１１３）を挟むように、その両側において、細長の補強部１５、１５で補強されている。この補強部１５，１５は、頸部ベルト１３及び腹部ベルト１４と同様の素材を用いることができ、ここでは、ペットの脊髄と平行となるように左右一対となるように配置され、これらの補強部１５，１５の間において、リード係合部１２が位置され、リード係合部１２からのテンションが、補強部１５，１５、頸部ベルト１３、腹部ベルト１４を介して伝達され、ベスト部１１全体に分散されるようになっている。
【００２０】
リード係合部１２は、左右の頸部ベルト１３及び腹部ベルト１４同士をそれぞれ縫い合わせるとともに、金属や硬化プラスチック等で形成されたリング部材をそれぞれ緊結して左右一対をなしている。
【００２１】
かかるベスト部１１は、図６に示すように、ペットの脊髄に沿った分割線Ｌにおいて左右に分割されて、パーツ１１ａ及び１１ｂとなる。上記左右一対のリード係合部１２は、ベスト部１１の左右のパーツ１１ａ、１１ｂの分離に合わせて、左右に展開され、パーツ１１ａ，１１ｂの連結によって、左右のリングが束ねられてリードや鎖等の部材が係合できるようになる。
【００２２】
なお、この分割線Ｌには、左右に分割されたパーツ１１ａ及び１１ｂを連結する連結部１１３が設けられ、連結部１１３は、脊髄に沿って一定の長さを有している。この連結部１１３は、ここでは、パーツ１１ａの表面側とパーツ１１ｂの裏面側に貼り付けられた面ファスナーとなっており、パーツ１１ａの表面側とパーツ１１ｂの裏面側とを重ね合わせて表裏の面ファスナーを貼り合わせることで連結させる。また、本実施形態では、かかる連結部１１３の長さＤ１と、縫着部１１１ａと１１２ａとの間、又は縫着部１１１ｂと１１２ｂとの間の距離Ｄ２とはほぼ等しくなるように設計されており、リード係合部１２は、面ファスナーの長さであるＤ１のほぼ中央に位置される。
【００２３】
さらに、頸部ベルト１３及び腹部ベルト１４は、縫着された縫着部１１１ａ、１１１ｂ、１１２ａ及び１１２ｂ外に位置された着脱部１３１ａ、１３１ｂ、１４１ａ及び１４１ｂにおいて切り離し可能となっている。これらの着脱部１３１ａ、１３１ｂ、１４１ａ及び１４１ｂは、金属製のアジャスタとなっており、ベルトの着脱とともに、ベルトの長さの調節も可能となっている。そして、これら着脱部１３１ａ、１３１ｂ、１４１ａ及び１４１ｂは、ベスト部１１の面積内、且つベスト部１１の表面側に位置され、ペットの皮膚に直接触れないようになっている。
【００２４】
また、頸部ベルト１３及び腹部ベルト１４の中途には、ベルトの切り離し及び長さの調節ができるアジャスタ１３２及び１４２が設けられており、ベルトを左右に切離したり、長さを調節したりすることによって、ハーネスのペットへの装着が簡単にできるようになっている。
【００２５】
（本実施形態による作用・効果）
以上説明した本実施形態に係るペット用ハーネス１によれば、ペット２の背中に当接されるベスト部１１により、ハーネス全体をペットに密着させることができ、また、ベスト部１１は所定の面積を有することから、リードなどを介してペット２に伝達されるテンションをペットの背中全体に分散させて、テンションが集中するのを回避することができる。また、このベスト部１１には、頸部ベルト１３及び腹部ベルト１４が、ベスト部１１に対して一定の角度θ１及びθ２を保持するできるように、所定の長さにわたってベスト部１１の表面に縫着されていることから、ペット２の身体に対するベルトの角度が変化されるのを防止することができ、ベルトが移動してペットの身体に食い込むのを回避することができる。さらにベスト部１１は、ベストのようにペットに着用され、ペットの脊髄に沿って所定の面積が確保されていることから、ペットが後退りするなど、突発的な予想外の動作を採ってもハーネスが外れることがない。
【００２６】
また、本実施形態においてベスト部１１は、ペット２の脊髄に沿った分割線Ｌにおいて、左右に分割されることにより簡単にペット２に装着させることができ、また、ペット２の脊髄に沿った位置で一定の長さにわたってベスト部１１が連結されるため、装着時にあっては、テンションをペットの全長方向に分散させることができる。
【００２７】
さらに、頸部ベルト１３及び腹部ベルト１４のうち少なくとも一方のベルトは、縫着部１１１ａ、１１２ａ、１１１ｂ及び１１２ｂを残して、着脱部１３１ａ、１３１ｂ、１４１ａ及び１４１ｂにおいて切り離し可能となっているため、ベルトの一部を切離して開放することができ、ペットへの装着がより簡便に行うことができる。また、着脱部１３１ａ、１３１ｂ、１４１ａ及び１４１ｂが、ベスト部１１の面積内、且つベスト部１１の表面側に位置するようにしたため、着脱部１３１ａ、１３１ｂ、１４１ａ及び１４１ｂがペットの身体に食い込んだりして不快を与えるのを防止できる。
【００２８】
以上述べたように、本実施形態に係るペット用ハーネスによれば、犬や猫、フィレットなどの四足動物のペットにリード等を装着する際に、ペットに過度のテンションがかかるのを回避してペットにストレスを与えないようにできるとともに、ペットが予想外の動作をとった場合であっても、ハーネスが抜けてしまうのを防止することができる。
【図面の簡単な説明】
【００２９】
【図１】実施形態に係るペット用ハーネスの全体構成及びペットとの関係を上方から模式的に示す概念図である。
【図２】実施形態に係るペット用ハーネスの全体構成を上方から示す概念図である。
【図３】実施形態に係るペット用ハーネスの全体構成を上方から示す概念図である。
【図４】実施形態に係るペット用ハーネスの上面図である。
【図５】実施形態に係るペット用ハーネスの側面図である。
【図６】実施形態に係るペット用ハーネスを左右に展開した場合の上面図である。
【符号の説明】
【００３０】
１…ペット用ハーネス
２…ペット（四足動物）
１１…ベスト部
１１ａ，１１ｂ…パーツ
１２…リード係合部
１３…頸部ベルト
１４…腹部ベルト
１５，１５…補強部
１１１ａ，１１１ｂ，１１２ａ，１１２ｂ…縫着部
１１３…連結部
１３１ａ，１３１ｂ，１４１ａ，１４１ｂ…着脱部
１３２，１４２…アジャスタ
【図１】
2010029114.tif 000003
【図２】
2010029114.tif 000004
【図３】
2010029114.tif 000005
【図４】
2010029114.tif 000006
【図５】
2010029114.tif 000007
【図６】
2010029114.tif 000008